【事件の表示】
　特願２０１７−５４１１２０「調光積層体及び調光積層体用調光材料」拒絶査定不服審判事件〔平成３０年　１月２５日国際公開、ＷＯ２０１８／０１６３７８〕について、次のとおり審決する。
【結　論】
　本件審判の請求は、成り立たない。
【理　由】
第１　手続の経緯  
　本願は、２０１７年（平成２９年）７月１１日（優先権主張　平成２８年７月１９日）を国際出願日とする出願であって、その手続の概要は、以下のとおりである。  
　平成２９年１２月　７日：手続補正書の提出  
　平成３０年　２月　７日：拒絶理由の通知  
　平成３０年　４月１８日：意見書、手続補正書の提出  
　平成３０年　６月　６日：拒絶査定  
　平成３０年　９月１０日：審判請求書、手続補正書の提出 
　令和　元年　６月１０日：拒絶理由の通知  
　令和　元年　８月　８日：意見書、手続補正書の提出  
  
第２　本願発明 
　本願の請求項１ないし６に係る発明は、令和元年８月８日付けの手続補正により補正された特許請求の範囲の請求項１ないし６に記載された事項により特定されるところ、その請求項１に係る発明（以下「本願発明」という。）は、以下のとおりのものである。 
  
「【請求項１】
　第１の透明基材と、第２の透明基材と、前記第１の透明基材と前記第２の透明基材との間に配置された調光層とを備え、
　前記調光層が、複数の樹脂スペーサを含み、
　前記樹脂スペーサが、球状であり、
　前記樹脂スペーサの粒子径のＣＶ値が、２．０％以上、３０％以下であり、
　前記樹脂スペーサの１０％Ｋ値が、１００００Ｎ／ｍｍ２以下であり、
　前記樹脂スペーサが、ジビニルベンゼンを重合させて得られる樹脂スペーサである、調光積層体。」 
  
第３　拒絶の理由 
　令和元年６月１０日付けで当審が通知した拒絶の理由の概要は、次のとおりである。 
［理由１］（新規性）本件出願の下記の請求項に係る発明は、その優先日前日本国内または外国において頒布された下記の刊行物に記載された発明又は電気通信回線を通じて公衆に利用可能となった発明であるから、特許法第２９条第１項第３号に該当し、特許を受けることができない。 
  
［理由２］（進歩性）本件出願の下記の請求項に係る発明は、その優先日前日本国内または外国において頒布された下記の刊行物に記載された発明又は電気通信回線を通じて公衆に利用可能となった発明に基いて、その優先日前にその発明の属する技術の分野における通常の知識を有する者が容易に発明をすることができたものであるから、特許法第２９条第２項の規定により特許を受けることができない。 
  
 　　　　　記　　　（引用文献等については引用文献等一覧参照） 
  
●理由１（新規性）について 
・請求項　　　１、５、６ 
・引用文献等　１ 
●理由１（新規性）、理由２（進歩性）について 
・請求項　　　１、５、６ 
・引用文献等　１−３ 
●理由２（進歩性）について 
・請求項　　　２−４ 
・引用文献等　１−４
●理由１（新規性）について 
・請求項　　　６ 
・引用文献等　５ 
　　　　　　　　　　　　＜引用文献等一覧＞ 
引用文献１．特開２００３−２３８６２２号公報 
引用文献２．特開２０１３−２２８６４６号公報（周知技術を示す文献、特に、【００２９】−【００４１】、【００５７】−【００６５】、【００９２】、図３、図７、図１４参照。） 
引用文献３．特開２０１４−８９３６１号公報（周知技術を示す文献、特に、【００１６】−【００２０】、【００６８】−【００７６】、【０１０１】−【０１０４】、図１、図１１、図１８参照。） 
引用文献４．特開２０００−２５８７５８号公報（周知技術を示す文献、特に、【００１２】、【００２２】参照。） 
引用文献５．特開２０１３−２２２１３９号公報 
第４　引用文献について 
１　引用文献１の記載 
　引用文献１には、以下の事項が記載されている（下線は、当審で付した。以下同様。）。 
「【請求項１】
高弾力性の（メタ）アクリル系架橋重合体定形粒子
【化１】
・・・
で表される多官能モノマーであって、且つ重量基準で表わす全重合性モノマー中５０〜１００％の範囲にあることを特徴とする高弾力性定形粒子。
【請求項２】前記（メタ）アクリル系架橋重合体粒子が定形粒子であって、下記（２）式
【数１】
・・・
で表される
粒子径の１０％圧縮変位をした時の圧縮弾性率（１０％Ｋ値）が５００〜２５００Ｎ／ｍｍ
２
【請求項３】
前記定形粒子が球状粒子
粒子径の均斉度を表すＣｖ値が１０％以下である
「【０００１】
【発明の属する技術分野】本発明は、圧縮応力の解除後に優れた復元力を有する高弾力性の重合体粒子に関し、より詳細にはＬＣＤ用間隙部材、タッチパネル用間隙部材、導電性間隙部材、光拡散部材用フィラー等の各種の電子部品に用いられるスペーサー等の微小間隙をコントロール及び接着（又は応接）させる間隙部材又は光学部品の各種フィルターのフィラー等に有効に用いられる高弾力性の定形粒子及びその製造方法に関する。」  
「【００２３】また、本発明による
（メタ）アクリル系架橋重合体粒子は、好ましくは球状で、更に好ましくは真球状の定形粒子
粒子径
１〜１００μｍの範囲で、更に好ましくは２〜２０μｍの範囲にある（メタ）アクリル系架橋重合体の高弾力性定形粒子を適宜提供することができる
「【００２５】すなわち、後述する実施例の事実から明らかなように、
粒子径の１０％圧縮変位をした時の圧縮弾性率（１０％Ｋ値）が５００〜２５００Ｎ／ｍｍ
２
の範囲にあることから、硬くない柔軟性に優れていることが判る。また、特に本発明にあっては、その上限値が２５００Ｎ／ｍｍ
２
を超えないことから、より柔軟性の傾向にある高弾力性の架橋重合体粒子である
「【００２７】また、本発明による
高弾力性定形粒子は、
調光フィルム部材
のフィラーとして
使用され
【００２８】また、
高弾力性で、柔軟性である定形粒子は、
【００２９】そこで、本発明において全重合性モノマー中に、重量基準で０〜５０％の範囲で併用させて共重合させる（メタ）アクリル系モノマーとしては、例えば、（メタ）アクリル酸アルキルエステル類、（メタ）アクリル酸アリールエステル類、（メタ）アクリル酸アルコキシアルキル類、多価アクリル酸エステル類、脂環式アルコールのメタクリル酸エステル類、エポキシ基含有ビニル単量体、不飽和カルボン酸又はその部分エステル化合物及びその無水物、アミド基含有ビニル単量体、有機ケイ素基含有ビニル化合物単量体等が挙げられる。本発明においては、原料として比較的に低廉で、しかも、モノマー種が多く、
強度等の特性を所望する値にコントロールし易い等の観点から、
その他のモノマー類の少なくとも１種を適宜好適に組合わせて使用することができる。このその他のモノマーを、（メタ）アクリル酸アルキルエステル類に組合わせて使用する場合、その配合割合は特に限定する必要がなく使用され、
「【００５３】そこで、表１に示す弾力性の評価値から明らかなように、本発明による高弾力性定形粒子は、その（メタ）アクリル系架橋重合体の定形粒子を形成させる主モノマーが、ＥＯ−ＴＭＰＴＡ及び／又はＰＯ−ＴＭＰＴＡなる変性多官能モノマーを全重合性モノマー中に、重量基準で表して５０〜１００％の範囲で重合させてなる重合体粒子であることが判る。しかも、圧縮率から明らかなように柔軟性の粒子であって、しかも、
１０％Ｋ値が比較的に低い値であることから、比較的に低圧縮荷重下に容易に圧縮変位することから間隙部材として、容易にギャップを調整できる粒子であり
略真球状の粒子径が５．０μｍで、ＣＶ値が略４％の単分散粒子であった
２　引用発明　 
　したがって、引用文献１には、以下の発明が記載されている（以下「引用発明」という。）。 
「高弾力性の（メタ）アクリル系架橋重合体定形粒子が、調光フィルム部材のフィラーとして使用され、
　前記定形粒子が球状粒子で、粒子径の均斉度を表すＣｖ値が１０％以下であり、粒子径１〜１００μｍの範囲で、更に好ましくは２〜２０μｍの範囲であり、又は、略真球状の粒子径が５．０μｍで、ＣＶ値が略４％の単分散粒子であり、
　高弾力性で、柔軟性である定形粒子は、強度等の特性を所望する値にコントロールし易い等の観点から、その他のモノマー類の少なくとも１種を適宜好適に組合わせて使用することができ、
　粒子径の１０％圧縮変位をした時の圧縮弾性率（１０％Ｋ値）が５００〜２５００Ｎ／ｍｍ２であり、１０％Ｋ値が比較的に低い値であることから、比較的に低圧縮荷重下に容易に圧縮変位することから間隙部材として、容易にギャップを調整できる粒子である調光フィルム部材。」  
第５　対比 
　本願発明と引用発明を対比する。 
１　調光フィルムが、透明基材の間に調光層を配置したものであることは、技術常識（必要ならば、上記引用文献２、３を参照されたい。）であるので、引用発明の「調光フィルム部材」は、本願発明の「『第１の透明基材と、第２の透明基材と、前記第１の透明基材と前記第２の透明基材との間に配置された調光層とを備え』た『調光積層体』」に、相当する。
２　引用発明の「高弾力性の（メタ）アクリル系架橋重合体定形粒子」は、調光フィルム部材に複数用いることが自然であるので、引用発明の「高弾力性の（メタ）アクリル系架橋重合体定形粒子」と、本願発明の「複数の樹脂スペーサ」は、「複数の樹脂粒子」である点で一致する。
３　引用発明の「『球状』、『略真球状』」は、本願発明の「球状」に、相当する。
 
４　引用発明の「『粒子径の均斉度を表すＣｖ値が１０％以下であり、』『粒子径が５．０μｍで、ＣＶ値が略４％の単分散粒子であり』」と、本願発明の「粒子径のＣＶ値が、２．０％以上、３０％以下であり」は、「粒子径のＣＶ値が、２．０％以上、１０％以下であり」の点で一致する。
５　引用発明の「粒子径の１０％圧縮変位をした時の圧縮弾性率（１０％Ｋ値）が５００〜２５００Ｎ／ｍｍ２であり、１０％Ｋ値が比較的に低い値であることから、比較的に低圧縮荷重下に容易に圧縮変位することから間隙部材として、容易にギャップを調整できる粒子である」と、本願発明の「１０％Ｋ値が、１００００Ｎ／ｍｍ２以下であり」は、「１０％Ｋ値が、５００〜２５００Ｎ／ｍｍ２であり」の点で一致する。
 
６　そうすると、本願発明と引用発明は、以下の構成において一致し、また、相違する。 
  
（一致点） 
 「第１の透明基材と、第２の透明基材と、前記第１の透明基材と前記第２の透明基材との間に配置された調光層とを備え、
　前記調光層が、複数の樹脂粒子を含み、
　前記樹脂粒子が、球状であり、
　前記樹脂粒子の粒子径のＣＶ値が、２．０％以上、１０％以下であり、
　前記樹脂粒子の１０％Ｋ値が、５００〜２５００Ｎ／ｍｍ２である、調光積層体。」
（相違点１）
　樹脂粒子について、本願発明では「スペーサ」であるのに対して、引用発明ではそのようなものか明らかでない点で一応相違する。
（相違点２）
　樹脂粒子について、本願発明では「ジビニルベンゼンを重合させて得られる」のに対して、引用発明では「『高弾力性で、柔軟性である定形粒子は、強度等の特性を所望する値にコントロールし易い等の観点から、その他のモノマー類の少なくとも１種を適宜好適に組合わせて使用することができ』る『高弾力性の（メタ）アクリル系架橋重合体定形粒子』」である点で相違する。
第６　判断 
１　相違点１について
（１）引用文献１の【０００１】には「本発明は、圧縮応力の解除後に優れた復元力を有する高弾力性の重合体粒子に関し、より詳細にはＬＣＤ用間隙部材
、
、
、
フィラー等の
スペーサー
又は
  
　そうすると、引用文献１の高弾力性の重合体粒子は、 
１．ＬＣＤ用間隙部材
、
２．タッチパネル用間隙部材
、
３．導電性間隙部材
、
４．光拡散部材用
フィラー等の
スペーサー
又は
５．光学部品の各種フィルターのフィラー、 
に有効に用いられると解される。 
  
　上記４の場合には、引用発明の「フィラー」は、本願発明の「スペーサ」に相当するので、相違点１は、実質的な相違点にならない。
  
（２）仮に、調光フィルム部材のフィラーがスペーサであると引用文献１に明記されていないとしても、当該フィラーは、以下のとおり実質的にスペーサとしての役割を果たすから、相違点１は、実質的な相違点にならない。
 
　すなわち、調光フィルムにおいて、充填空間及び両板間の距離は４μｍ以上１００μｍ以下である旨、上記引用文献２、３にも記載されているように、調光層の間隙は、一般的に数μｍから数十μｍである。 
　そうすると、引用文献１の高弾力性定形粒子は調光フィルム部材のフィラーに使用され（【００２７】参照。）、高弾力性定形粒子の粒径は、好ましくは１〜１００μｍの範囲で、更に好ましくは２〜２０μｍの範囲（【００２３】参照。）にあり、また、一般的な調光層の間隙が数μｍから数十μｍであることから、両者の大きさを考え合わせれば、調光フィルム部材のフィラーが、スペーサとしての機能も有していると考えるのが自然である。 
 
２　相違点２について
（１）本願発明の「樹脂スペーサが、ジビニルベンゼンを重合させて得られる樹脂スペーサである」との特定事項は、その文言上、ジビニルベンゼン
のみ
　そして、本願明細書の段落【００４８】にも「・・・ジビニルベンゼン重合体、並びにジビニルベンゼン共重合体等が挙げられる。上記ジビニルベンゼン共重合体等としては、ジビニルベンゼン−スチレン共重合体及びジビニルベンゼン−（メタ）アクリル酸エステル共重合体等が挙げられる。上記樹脂スペーサの硬度を好適な範囲に容易に制御できるので、上記樹脂スペーサを形成するための樹脂は、エチレン性不飽和基を有する重合性単量体を１種又は２種以上重合させた重合体であることが好ましい。」と記載されており、樹脂スペーサとしてジビニルベンゼン−（メタ）アクリル酸エステル共重合が挙げられていることが理解できる。
（２）調光素子に関する技術において、樹脂スペーサとして、ジビニルベンゼン共重合体を用いることは、周知技術（必要であれば、特開平７−１３１３６号公報（特に、【００２７】参照。）特開平７−５６１４７号公報（特に、【００２４】参照。）、特開平７−１２８６４６号公報（特に、【００３４】−【００３８】参照。）を参照されたい。）である。
（３）また、引用発明において「高弾力性で、柔軟性である定形粒子は、強度等の特性を所望する値にコントロールし易い等の観点から、その他のモノマー類の少なくとも１種を適宜好適に組合わせて使用することができ」と特定され、高弾力性である定形粒子は、強度等の特性を所望する値にコントロールし易い等の観点から、その他のモノマー類の少なくとも１種を適宜好適に組合わせて使用することができることが示唆されている。そして、粒子の強度を調整するために、単量体としてジビニルベンゼンを用いて重合させることは、一般に行われていること（必要であれば、特開平８−２３９４０６号公報（特に、【００１５】、【００１７】参照。）、国際公開第２０１６／０８８６６４号（特に、［００７６］参照。）を参照されたい。）である。
（４）そうすると、引用発明において、高弾力性で、柔軟性である定形粒子を、強度等の特性を所望する値にコントロールし易い等の観点から、上記周知技術を考慮し、ジビニルベンゼンを適宜好適に組合わせて使用することは、当業者が容易に想到し得たことである。
３　効果について  
　そして、相違点を総合的に勘案しても、本願発明の奏する作用効果は、引用発明及び周知技術の奏する作用効果から予測される範囲内のものにすぎず、格別顕著なものということはできない。  
　すなわち、ジビニルベンゼンを重合させて得られる樹脂スペーサを用いることで格別の効果があることは、本願の明細書には記載されていない。
　実際、ジビニルベンゼンを重合させて得られる樹脂スペーサを用いた調光積層体（実施例１、実施例４）は、「△」色むらがごくわずかに発生している。また、審判請求人が、平成３０年９月１０日付けの審判請求書において、ジビニルベンゼンを重合させて得られる樹脂スペーサを用いた調光積層体（追加比較例３、追加比較例４）は、「×」色むらが発生していることを記載している。
　よって、ジビニルベンゼンを重合させて得られる樹脂スペーサを用いることで格別の効果があるということはできない。
４　まとめ  
　以上のとおりであるから、引用発明に上記周知技術を適用して、相違点に係る本願発明の構成とすることは、当業者が容易に想到し得たことである。
  
第７　審判請求人の主張について 
　審判請求人は、令和元年８月８日付けの意見書において、「引用文献１には、『前記樹脂スペーサが、ジビニルベンゼンを重合させて得られる樹脂スペーサである』という本願発明の構成は何ら記載されておらず、かつ何ら示唆されていないことは明らかであると思料致します。」と主張している。 
  
　しかしながら、上記第６の２に記載したとおりである。
　以上のとおりであるから、審判請求人の主張を採用することはできない。
  
第８　むすび 
　以上のとおり、本願発明は、引用発明及び周知技術に基いて、その優先日前にその発明の属する技術の分野における通常の知識を有する者が容易に発明をすることができたものであるから、特許法第２９条第２項の規定により特許を受けることができない。 
　したがって、他の請求項に係る発明について検討するまでもなく、本願は拒絶すべきものである。 
  
 　よって、結論のとおり審決する。